(57)【要約】【課題】  環境に優しい素材を使用したカードスタンドを、自立状態とするために、使用者が行う脚組立て操作を、ワンタッチでできるようにする。【解決手段】  正面部（１）と、背面部（２）と、第１のスリット（Ｎ１）及び第２のスリット（Ｎ２）を備える衝立部（３）と、第３のスリット（Ｎ４）及び第４のスリット（Ｎ４）を備える自立保持部（４）とからなり、折畳み状態では、第２のスリット（Ｎ２）と第４のスリット（Ｎ４）が互いに嵌合状態で部分的に重なり合い、組立て状態では、第１のスリット（Ｎ１）と第３のスリット（Ｎ３）が互いに嵌合状態で先端同士が触れ合うようにする。【選択図】図１
2006035576.tif 000002
【特許請求の範囲】
【請求項１】
一枚のシートを折畳むことによってカード類の収納スペースが形成される卓上カードスタンドであって、
前記収納スペースに挿入されたカード類の表示面が見えるよう切除された表示窓を備える長方形の正面部と、
前記正面部の左側または右側のいずれかを延長して形成し、折り返して前記収納スペースの後側の大半を覆うための背面部と、
前記正面部の上側を延長して形成し、左側または右側のいずれかの端部から前記長方形の横方向の辺に平行に所定の長さで切除した第１のスリットと、前記第１のスリットの一部から前記正面部側に向かって所定の長さで切除した第２のスリットを設け、折り返したとき衝立脚の一部とするための衝立部と、
前記正面部の下側を延長して形成し、左側または右側のいずれかの端部から前記長方形の横方向の辺に平行に所定の長さで切除した第３のスリットと、前記第３のスリットの一部から前記正面部側に向かって所定の長さで切除した第４のスリットを設け、折り返したとき前記衝立脚の他の一部となり、前記衝立部に係合することにより前記衝立部の姿勢を規制するための自立保持部と、
を含み、
前記衝立部と前記自立保持部は、前記衝立脚の折畳み状態では、前記第２のスリットと第４のスリットが互いに嵌り合ったまま部分的に重なり合い、前記衝立脚の組立て状態では、前記第１のスリットと前記第３のスリットが互いに嵌り合ったまま先端部同士が触れ合うよう形成されている卓上カードスタンド。
【請求項２】
請求項１に記載の卓上カードスタンドにおいて、
前記第２のスリットは、前記第１のスリットの先端から僅かに戻った位置を起点として、前記第１のスリットに対し鈍角で斜めの方向に切除したスリットであり、
前記第４のスリットは、前記第３のスリットの先端から僅かに戻った位置を起点として、前記第３のスリットに対し鈍角で斜めの方向に切除したスリットであること、
を特徴とする卓上カードスタンド。
【請求項３】
請求項１または請求項２に記載の卓上カードスタンドにおいて、
前記衝立部は、前記衝立脚の折畳み状態から組立て状態に変える際に摘んで引き起こすための突出部が、左右いずれかの端部の中央付近に設けられている、
ことを特徴とする卓上カードスタンド。
【発明の詳細な説明】
【技術分野】
【０００１】
本発明は、フォトカードや卓上カレンダーなどのカード類を机や飾り棚などの上に見やすい角度に立てて載せるための卓上カードスタンドに関するものである。
【背景技術】
【０００２】
一般に、この種のカードスタンドは、流通機構等での保管、運搬を経て、使用者に提供されるが、カードを自立させるための脚部の組立ては、使用者の手によって行われるのが殆どであり、この作業は誰でも簡単に行えることが必須条件となっている。
また、最近になって環境問題に注目が集まり、不要となった場合の破棄処分が簡単に行えるものが良いとされ、紙や段ボールの素材を使用するものが増える傾向にある。
環境に配慮し、かつ製造が容易で、コストが安いものの従来例としては、例えば「カード型卓上カレンダー用ホルダー」（特許文献１）や「卓上カレンダー」（特許文献２）などがある。
【０００３】
特許文献１の提案は、段ボールからなる一枚の構成体を折り曲げて組み立てることにより、カード収納部と衝立部とが形成され、ホルダーの構成体は、四辺形状の枠部の外側に、枠部を挟んで対向する、一対の側面部と裏板部、及び一対の側面部と衝立板部を連続して設け、折り返した裏板部同士を、枠部に対面させて係止し、折り返した衝立板部同士を、カード収納部との間に略三角柱状の空間を形成するように係止して、自立させるものである。
【０００４】
特許文献２の提案は、カレンダーを後傾状態に支持するための支持体を、窓を備えた正面板と、その周辺に連続して、カレンダーの厚みに応じた幅の保形片を介して配置した保形板、上背面板、及び下背面板、とで構成し、組み立て状態では、保形板は、正面板と相対してカレンダーの後面を支持し、上背面板および下背面板は背部側に開き、上背面板と下背面板を相互に着脱可能に係止して後傾状態に自立させるものである。
【０００５】
特許文献１、及び特許文献２のいずれの場合でも、紙あるいは段ボールを素材とする一枚のシートによる構成であるため、不要品の廃棄処理が容易で環境に優しく、コストも安いので、これらの点についての問題はない。
しかし、特許文献１の場合は、保管や運搬に便利な展開状態や折畳み状態から、使用時の組立て状態への移行、及びその逆の作業については、誰でも素早く簡単に行えないという不便さがある。
しかも、保管、あるいは輸送中の折畳み状態では、衝立板部同士の係止、上背面板と下背面板の係止は行われていないで、ただ、枠部あるいは正面板の裏側に重ねられているだけであるので、流通機構などから受け取った使用者が、カードを自立させるための係止作業を行わなければならない。
【０００６】
特許文献２の場合は、組立て状態では、上背面板に設けられた横長の係止孔に、これに対応する下背面板の上辺側に張り出すようにして形成された係止片を係止させて上背面板と下背面板を係合させている。係止孔には、係止片の幅狭とした首部のみを半固定させることのできる段部が設けられており、係止孔に係止片を挿入してから首部を段部に嵌めて、互いに係止する。
また、係止孔が設けられている上背面板には、係止孔の両端に連続するようにして入れたスリットにより切り込み形成された押圧片があって、この押圧片が、係止孔に挿入された係止片に弾性的に当接してその係止状態を維持するようにしている。
この押圧片は、上下方向に或る程度の長さを有し、係止片を差し入れる際には保形板側に湾曲させて係止片自体の挿入が簡単に行なえるようにしてあるが、押圧片を保形板側に重ね係止片を外方に向けた入れ子状態で、上背面板と下背面板とを重ね合わせできるようにするために、押圧片の両側の縦スリット部分を長くしてある。したがって、上背面板と下背面板を引き起こして係合状態とするには都合がよいが、縦スリットを長くしたために組立て時の押圧片の適正な姿勢が取り難くなることがある。とくに脚組立て直後に、上背面板と下背面板の係合状態とともに、押圧片の先端が正常な位置にあるか否かの確認が必要となるなど、素材が紙であるがために、組み立てて卓上に置く形にしたときの衝立脚の組み合わせに不安定さを感じる。
【０００７】
ところが、これらのカレンダーやホルダーは、宣伝広告用や、顧客へのサービス用として提供されることが多く、最近では、体裁の良さや、自立させるときの操作の易しさ、組立て後の安定感などの一寸した評判が、物品提供効果を大きく左右するという点が注目されつつある。
そこで、この問題を構造的に解決するためには、特許文献２の場合においても、前記縦スリットに必要な長さを２分した短い長さのスリットを、前記上背面板と下背面板に相当する部分に分散して設け、衝立脚の強度低下を抑制するか、前記上背面板と下背面板の結合部分を何らかの方法で強化する必要がある。
【特許文献１】特開２０００−３１８３４８号公報
【特許文献２】特開２００１−２６０５６７号公報
【発明の開示】
【発明が解決しようとする課題】
【０００８】
本発明の課題は、このような観点に基づき、環境に優しい紙などを素材として利用できる構成で、特に折畳み状態からワンタッチで組立てられるようにし、また組立て状態で安定した姿勢が常に得られるようにして、使用者に喜ばれるような、卓上カードスタンドを提供することである。
【課題を解決するための手段】
【０００９】
前記課題を解決するために、請求項１の発明は、一枚のシートを折畳むことによってカード類の収納スペースが形成される卓上カードスタンドであって、前記収納スペースに挿入されたカード類の表示面が見えるよう切除された表示窓（１ａ）を備える長方形の正面部（１）と、前記正面部（１）の左側または右側のいずれかを延長して形成し、折り返して前記収納スペースの後側の大半を覆うための背面部（２）と、前記正面部（１）の上側を延長して形成し、左側または右側のいずれかの端部から前記長方形の横方向の辺に平行に所定の長さで切除した第１のスリット（Ｎ１）と、前記第１のスリット（Ｎ１）の一部から前記正面部（１）側に向かって所定の長さで切除した第２のスリット）を設け、折り返したとき衝立脚の一部とするための衝立部（３）と、前記正面部（１）の下側を延長して形成し、左側または右側のいずれかの端部から前記長方形の横方向の辺に平行に所定の長さで切除した第３のスリット（Ｎ３）と、前記第３のスリット（Ｎ３）の一部から前記正面部（１）側に向かって所定の長さで切除した第４のスリット（Ｎ４）を設け、折り返したとき前記衝立脚の他の一部となり、前記衝立部（３）に係合することにより前記衝立部（３）の姿勢を規制するための自立保持部と、を含み、前記衝立部（３）と前記自立保持部は、前記衝立脚の折畳み状態では、前記第２のスリット（Ｎ２）と第４のスリット（Ｎ４）が互いに嵌り合ったまま部分的に重なり合い、前記衝立脚の組立て状態では、前記第１のスリット（Ｎ１）と前記第３のスリット（Ｎ３）が互いに嵌り合ったまま先端部同士が触れ合うよう形成されている卓上カードスタンドである。
請求項２の発明は、請求項１に記載の卓上カードスタンドにおいて、前記第２のスリット（Ｎ２）は、前記第１のスリット（Ｎ１）の先端から僅かに戻った位置を起点として、前記第１のスリット（Ｎ１）に対し鈍角で斜めの方向に切除したスリットであり、前記第４のスリット（Ｎ４）は、前記第３のスリット（Ｎ３）の先端から僅かに戻った位置を起点として、前記第３のスリット（Ｎ３）に対し鈍角で斜めの方向に切除したスリットであること、を特徴とする卓上カードスタンドである。
請求項３の発明は、請求項１または請求項２に記載の卓上カードスタンドにおいて、前記衝立部は、前記衝立脚の折畳み状態から組立て状態に変える際に摘んで引き起こすための突出部（３ｂ）が、左右いずれかの端部の中央付近に設けられている、ことを特徴とする卓上カードスタンドである。
【発明の効果】
【００１０】
以上説明したように、本発明によれば、以下のような効果がある。
（１）正面部の左または右に続く部分に配置され、折り返して前記カード類の後面を支持する背面部と、正面部の上側に続く部分にあり、折り返して脚の一部となる衝立部と、正面部の下側に続く部分にあり、折り返して脚の他の一部となり、前記衝立部に係合し、その姿勢を保持する自立保持部とからなり、衝立部に、第１のスリットと、その第１のスリットの一部を起点として正面部側に向かって切除した第２のスリットを有し、自立保持部に、第３のスリットと、その第３のスリットの一部を起点として正面部側に向かって切除した第４のスリットを有し、脚の折畳み状態（以下、折り畳み状態という。）では、第２のスリットと第４のスリットが嵌ったまま部分的に重なり合い、脚の組立て状態（以下、組立て状態という。）では、第１のスリットと第３のスリットが嵌ったまま先端同士が触れ合う状態になっているので、展開状態から折畳み状態への移行が容易であるとともに、使用者が使う前にしなければならない折畳み状態から組み立て状態へ移行させる操作を、ワンタッチで行うことができるという効果がある。
（２）第２のスリットは、第１のスリットの先端から僅かに戻った位置から分岐して、鈍角で斜めの方向に切除したスリットであり、第４のスリットは、第３のスリットの先端から僅かに戻った位置から分岐して、鈍角で斜めの方向に切除したスリットであるので、前記の効果を具体的に、かつ確実に実現することができる。
（３）前記衝立部に、折畳み状態から組立て状態に変える際に摘んで引き起こすための突出部を設けることにより、前記ワンタッチ操作をさらに容易にすることができるという効果がある。
【発明を実施するための最良の形態】
【００１１】
本発明の卓上カードスタンドは、折畳み状態からワンタッチで組立てられるという目的を、正面部と、背面部と、第１のスリット及び第２のスリットを備える衝立部と、第３のスリット及び第４のスリットを備える自立保持部とからなり、折畳み状態では、第２のスリットと第４のスリットが互いに嵌合状態で部分的に重なり合い、組立て状態では、第１のスリットと第３のスリットが互いに嵌合状態で先端同士が触れ合うようにすることによって実現する。
【実施例１】
【００１２】
以下、図面等を参照して、本発明の実施例をあげて、さらに詳しく説明する。
図１は、本発明による卓上カードスタンドの実施例１を展開した状態で示す平面図である。
図２は、図１の卓上カードスタンドを折畳み、正面部を垂直にして、裏側から見た状態を示す斜視図である。
図３は、図１の卓上カードスタンドを組立て、卓上などに載せる姿勢にして裏側から見た状態を示す斜視図である。
【００１３】
図１の展開図に示すように、正面部１は長方形で、挿入するカード類の表示面が見えるように表示窓１ａが設けられている。
実施例１では、正面部１を横長の状態として、その長方形の左側の辺を延長し、収納するカード類の厚さに応じた幅の側面部２ｓを介して、その先に連続して、概ね長方形の背面部２が設けられている。
背面部２は、折畳み状態、および組立て状態では、側面部２ｓの左右の折り目２ｆ、２ｆで山折りにされて、前記収納スペースの後面の大半を覆う。
背面部２には、カード類の出し入れの便利さを考慮して、裏面から指先が触れやすいように、切り欠いて凹ませた部分２ａ、２ｂが設けられている。
【００１４】
衝立部３は、概ね台形であり、正面部１の上側の辺を延長し、側面部３ｓを介して、その先に連続して、台形の下底が側面部３ｓに接するようにして形成されている。
衝立部３は、組立て状態では、側面部３ｓの上下の折り目３ｆ、３ｆで山折りにされて脚の主要な一部となる。
衝立部３には、第１のスリットＮ１と、それに連続した第２のスリットＮ２が設けられている。
本実施例の場合は、衝立部３の左右の辺の一方の中央付近に、突出部３ｃが設けられている。突出部３ｃは、カードスタンドを、折畳み状態から組立て状態にするとき、指先で摘んでワンタッチで衝立部３を引き起こすのに都合がよいよう設けたものである。
【００１５】
第１のスリットＮ１は、衝立部３の台形の左右の辺の一つ（本実施例では左側の辺）の上底側から少し正面部１側に寄った位置を第１の起点３ａとして、第１の起点３ａから正面部１の横方向の辺に平行に、細い幅で所定の長さに切除されている。
第２のスリットＮ２は、第１のスリットＮ１の先端から僅かに戻ったところを第２の起点３ｂとして、第２の起点３ｂから第１のスリットＮ１に対し、鈍角で斜め方向に、細い幅で所定の長さに切除されている。
【００１６】
自立保持部４は、概ね台形の上底の一側辺寄りの部分を切り欠いた形であり、正面部１の下側の辺を延長し、側面部４ｓを介して先に続く位置に、台形の下底が側面部４ｓに接するように形成されている。
上記の切欠き部分を設けたのは、カードスタンドの展開状態から折畳み状態にする場合に、衝立部３の第１のスリットＮ１に、自立保持部４の台形の上底付近の部分の挿入を、容易にするためである。
【００１７】
自立保持部４は、組立て状態では、側面部４ｓの上下の折り目４ｆ、４ｆで山折りにされて衝立部３の姿勢を規制し、その姿勢を保持する。
自立保持部４には、第３のスリットＮ３と、それに連続した第４のスリットＮ４が設けられている。
第３のスリットＮ３は、第３の起点４ａから、第１のスリットＮ１に準じて切除され、第４のスリットＮ４は、第４起点４ｂから、第２のスリットＮ２に準じて切除されている。
【００１８】
第１のスリットＮ１と第３のスリットＮ３の長さは、組立て状態において、嵌め合い状態のままで、スリットの最先端位置同士が接触するように決められる。
第２のスリットＮ２と第４のスリットＮ４は、折畳み状態において、嵌め合い状態のままで、平行して部分的に重なり、しかもカードスタンドが折畳み状態から組立て状態に移行する際に、その接触面がスライドできるように傾斜と長さが決められる。
【００１９】
第２の起点３ｂの位置が第１のスリットＮ１の先端よりずれており、第４の起点４ｂの位置が第３のスリットＮ３の先端よりずれているのは、次の理由による。
第１のスリットＮ１と第３のスリットＮ３が先端同士で接触している状態から、第２のスリットＮ２と第４のスリットＮ４が重なり合う状態に移行するためには、第１のスリットＮ１と第３のスリットＮ３の先端同士を引き離して、第２の起点３ｂと第４の起点４ｂが略同一位置になるまで外力を加えなければならない。したがって、このような外力がない限り、自立時の組み立て状態を、安定に維持できるからである。
【００２０】
図４及び図５は、実施例１のカードスタンドの図１の状態から図２の状態にする途中経過を示す斜視図である。
図４は、図１に示す展開されたシートを、各折り目２ｆ、２ｆ、３ｆ、３ｆ、４ｆ、４ｆの位置で山折りとし、裏返しにして折り返した背面部２を、正面部１の裏面に対向させた状態を示している。
図５は、図４の状態から、シート全体に多少のひねりを加えて、自立保持部４の台形の上底の端部４ｃを、衝立部３のスリットＮ１に挿入しているところを示している。
【００２１】
図１の展開された状態から図２の折畳み状態に移行させる場合は、図４、図５の状態を経て、自立保持部４の台形のスリットＮ３から上底側の部分を、衝立部３のスリットＮ１に貫通させた後、スリットＮ２とスリットＮ４の傾斜した内側同士をスライドさせればよい。こうすれば、衝立部３及び自立保持部４が、同時に正面部１に平行となり、カードスタンドは図２に示すように折畳み状態となる。
【００２２】
図２の折畳み状態から図３に示す組立て状態に移行させる場合は、突出部３ｂを指で摘んで衝立部３を正面部１から離れるように引き起こせば、第２のスリットＮ２と第４のスリットＮ４の接触面がスライドして、第１のスリットＮ１と第３のスリットＮ３が一直線となり、カードスタンドの素材の弾性によって、それぞれの先端同士が接近し、嵌り合う。そこで、引き起こされた衝立部３の姿勢は、自立保持部４によって規制され、その状態が維持される。
なお、実施例１のカードスタンドの自立できる姿勢は、図３に示すように衝立部３の台形の上底を下にした姿勢の他に、正面部１の上下を反転して前記台形の下底を下にして自立させることもできる。この場合は通常、正面部１の傾斜は図３の場合と異なる。したがって、一つのカードスタンドで傾斜の異なる二つの展示方法を選択することができる。
【００２３】
図３の組立て状態から図２の折畳み状態にするには、正面部１を下にして置き、衝立部３、及び自立保持部４の、それぞれの台形の上底の互いに離れた部分の付近を摘んで、第１のスリットＮ１と第２のスリットＮ３の先端の接触部分を引き離すようにしながら衝立部３、及び自立保持部４を下に押せばよい。
【実施例２】
【００２４】
以下、図面等を参照して、本発明の実施例２をあげて、さらに詳しく説明する。
図６は、本発明による卓上カードスタンドの実施例２を展開した状態で示す平面図である。
図７は、図６の卓上カードスタンドを折畳み、正面部を垂直にして、裏側から見た状態を示す斜視図である。
図８は、図６の卓上カードスタンドを組立て、卓上などに載せる姿勢にして、裏側から見た状態を示す斜視図である。
【００２５】
図６の展開図に示すように、正面部１１は、図１の実施例１と同様に表示窓１１ａが設けられている。
実施例２では、長方形の正面部１１を縦長の状態として、図１の実施例１と同様に、正面部１１の左側を延長して、側面１２ｓを介し背面部１２を形成している。
背面部１２は、折畳み状態および組立て状態では、折り目１２ｆ、１２ｆで山折りにされ、正面部１に対向してカード類の収納スペースを形成する。
凹んだ部分１２ａは、カード類の出し入れの際に、指先が触れやすくしたものである。
【００２６】
衝立部１３も図１の実施例１と同様に、正面部１１の上側を延長して、側面１３ｓを介し、その外側に設けられている。
衝立部１３は、組立て状態では、側面１３ｓの上下端部の折り目１３ｆ、１３ｆの位置で山折りにされて脚の主要部となる。
衝立部１３には、第１のスリットＮ１１と、それに連続した第２のスリットＮ１２が設けられている。
第１のスリットＮ１１は、図１のＮ１に相当し、第２のスリットＮ１２は、図１のＮ２に相当するので、詳しい説明は省略する。
【００２７】
自立保持部１４も図１の実施例１と同様に、正面部１１を下側に延長し、側面部１４ｓを介して、その外側に形成している。
自立保持部１４は、組立て状態では、側面部１４ｓの上下の折り目１４ｆ、１４ｆで山折りにされて衝立部１３の姿勢を規制し、その姿勢を保持する。
衝立部１４には、第３のスリットＮ１３と、それに連続した第４のスリットＮ１４が設けられている。
第３のスリットＮ１３は、図１のＮ３に相当し、第４のスリットＮ１４は、図１のＮ４に相当するので詳しい説明は省略する。
【００２８】
図６の展開状態から図７の折畳み状態にする場合は、図１における図４、図５に準じる状態を経て、自立保持部１４の台形のスリットＮ１３から外側の部分を、衝立部１３のスリットＮ１１に貫通させた後、スリットＮ１２とスリットＮ１４が互いに嵌り合った状態のまま、スライドすればよい。こうすれば、衝立部１３及び自立保持部１４が、同時に正面部１１に平行となり、カードスタンドは図７に示すように折畳み状態となる。
【００２９】
図７の折畳み状態から図８に示す組立て状態に移行させる場合は、突出部１３ｂを指で摘んで衝立部１３を正面部１１から離れるように引き起こせば、第２のスリットＮ１２と第４のスリットＮ１４の接触面がスライドして、第１のスリットＮ１１と第３のスリットＮ１３が一直線となり、嵌り合ったスリットの、それぞれの先端同士が触れ合う状態となり、引き起こされた衝立部１３の姿勢が自立保持部１４によって規制されて、その状態が保持される。
なお、実施例２のカードスタンドの自立姿勢は、図８に示す他に、正面部１１を９０度回転させ、衝立部１３の台形の上底を下にした姿勢でも自立させることができる。したがって、一つのカードスタンドで、長手方向を縦と横に変えて、異なる二つの展示方法を選択することができる。
【００３０】
（変形例）
以上説明した実施例に限定されることなく、種々の変形や変更が可能であって、それらも本発明の均等の範囲内である。
例えば、正面部と背面部の間、正面部と衝立部の間、及び正面部と自立保持部の間には、収納スペースに挿入するカード類の厚さに応じた幅の側面部が配置されているが、一枚のフォトカード専用のものなどでは、これらの側面部を無くして、背面部、衝立部、自立保持部を、それぞれ正面部に直結しても良い。
その他、カードスタンド各部の形状寸法や、彩色、飾りつけの有無などに工夫を凝らして変形させても良く本発明の主旨に沿うものであれば、そのすべてが含まれる。
【図面の簡単な説明】
【００３１】
【図１】本発明による実施例１を展開した状態で示す平面図である。
【図２】図１の卓上カードスタンドの折畳み状態を裏側から見て示した斜視図である。
【図３】図１の卓上カードスタンドの組立て状態を裏側から見て示した斜視図である。
【図４】図１の状態から背面部を折畳んだときの状況を示す斜視図である。
【図５】図４の状態から図２の状態にする途中経過の状況を示す斜視図である。
【図６】本発明による実施例２を展開した状態で示す平面図である。
【図７】図６の卓上カードスタンドの折畳み状態を裏側から見て示した斜視図である。
【図８】図６の卓上カードスタンドの組立て状態を裏側から見て示した斜視図である。
【符号の説明】
【００３２】
１、１１    正面部
１ａ、１１ａ    表示窓
２、１２    背面部
３、１３    衝立部
４、１４    自立保持部
Ｎ１、Ｎ１１    第１のスリット
Ｎ２、Ｎ１２    第２のスリット
Ｎ３、Ｎ１３    第３のスリット
Ｎ４、Ｎ１４    第４のスリット
【図１】
2006035576.tif 000003
【図２】
2006035576.tif 000004
【図３】
2006035576.tif 000005
【図４】
2006035576.tif 000006
【図５】
2006035576.tif 000007
【図６】
2006035576.tif 000008
【図７】
2006035576.tif 000009
【図８】
2006035576.tif 000010